(57)【要約】【課題】小さい記憶容量でより効率的にＯＳＤ画像を生成することが可能なプロジェクタ等を提供すること。【解決手段】プロジェクタ１００が、少なくとも１か国の言語ごとの圧縮ＯＳＤデータを含む圧縮ＯＳＤデータ群１２２と、少なくとも１か国の言語ごとの展開ＯＳＤデータを含む展開ＯＳＤデータ群１２４とを記憶するフラッシュメモリ１２０と、前記展開ＯＳＤデータに基づき、ＯＳＤ画像を生成する画像生成部１３０と、画像を投写する投写部１９０とを含んで構成される。【選択図】図１
2008256965.tif 000002
【特許請求の範囲】
【請求項１】
少なくとも１か国の言語ごとの圧縮ＯＳＤデータを含む圧縮ＯＳＤデータ群と、少なくとも１か国の言語ごとの展開ＯＳＤデータを含む展開ＯＳＤデータ群とを記憶する不揮発性メモリと、
前記展開ＯＳＤデータに基づき、ＯＳＤ画像を生成する画像生成部と、
を含むことを特徴とする画像生成システム。
【請求項２】
請求項１に記載の画像生成システムにおいて、
前記言語の選択を示す選択情報を入力する入力部を含み、
前記画像生成部は、当該選択に応じた言語の前記展開ＯＳＤデータに基づき、当該言語で表示される前記ＯＳＤ画像を生成することを特徴とする画像生成システム。
【請求項３】
請求項２に記載の画像生成システムにおいて、
前記選択に応じた前記圧縮ＯＳＤデータを展開して前記展開ＯＳＤデータ群の少なくとも一部として前記不揮発性メモリに記憶する展開部を含むことを特徴とする画像生成システム。
【請求項４】
前記圧縮ＯＳＤデータ群を更新することにより、少なくとも１か国の言語の前記圧縮ＯＳＤデータの追加、削除または更新を行う更新部を含むことを特徴とする画像生成システム。
【請求項５】
請求項１〜４のいずれかに記載の画像生成システムと、
前記ＯＳＤ画像を投写する投写部と、
を含むプロジェクタ。
【請求項６】
不揮発性メモリを含むコンピュータにより読み取り可能なプログラムであって、
前記コンピュータを、
少なくとも１か国の言語ごとの圧縮ＯＳＤデータを含む圧縮ＯＳＤデータ群と、少なくとも１か国の言語ごとの展開ＯＳＤデータを含む展開ＯＳＤデータ群とを前記不揮発性メモリに記憶させる記憶制御部と、
前記展開ＯＳＤデータに基づき、ＯＳＤ画像を生成する画像生成部として機能させることを特徴とするプログラム。
【請求項７】
不揮発性メモリを含むコンピュータにより読み取り可能なプログラムを記憶した情報記憶媒体であって、
請求項６に記載のプログラムを記憶した情報記憶媒体。
【発明の詳細な説明】
【技術分野】
【０００１】
本発明は、ＯＳＤ(On Screen Display)画像を生成する画像生成システム、プロジェクタ、プログラムおよび情報記憶媒体に関する。
【背景技術】
【０００２】
一般的なプロジェクタ等の表示装置は、環境設定用ＯＳＤ画像、通知用ＯＳＤ画像等を表示するためのＯＳＤデータを記憶している。しかし、コスト削減等の理由からＯＳＤデータが小容量のメモリに記憶される場合がある。特に、プロジェクタの場合、種々の国で使用されるため、ＯＳＤ画像を多種類の言語で表示する必要があり、小さい記憶容量で多種類の言語をサポートする必要がある。
【０００３】
このような問題を解決する手法として、ＯＳＤデータを圧縮して記憶する手法が考えられる。例えば、２００２−１０８３２５号公報では、ＯＳＤデータを圧縮してＲＯＭに記憶し、当該ＯＳＤデータを展開してＲＡＭ（フレームメモリ）に展開することが記載されている。
【特許文献１】特開２００２−１０８３２５号公報
【発明の開示】
【発明が解決しようとする課題】
【０００４】
しかし、当該公報の手法のように、ＲＡＭに展開する手法の場合、表示装置の起動を終了する度にＲＡＭに展開したデータが消えてしまうため、表示装置を起動する度に毎回ＯＳＤデータをＲＡＭに展開する必要があり、処理効率が悪い。
【０００５】
本発明の目的は、小さい記憶容量でより効率的にＯＳＤ画像を生成することが可能な画像生成システム、プロジェクタ、プログラムおよび情報記憶媒体を提供することにある。
【課題を解決するための手段】
【０００６】
上記課題を解決するため、本発明に係る画像生成システムは、少なくとも１か国の言語ごとの圧縮ＯＳＤデータを含む圧縮ＯＳＤデータ群と、少なくとも１か国の言語ごとの展開ＯＳＤデータを含む展開ＯＳＤデータ群とを記憶する不揮発性メモリと、前記展開ＯＳＤデータに基づき、ＯＳＤ画像を生成する画像生成部と、を含むことを特徴とする。
【０００７】
また、本発明に係るプロジェクタは、上記画像生成システムと、前記ＯＳＤ画像を投写する投写部と、を含むことを特徴とする。
【０００８】
また、本発明に係るプログラムは、不揮発性メモリを含むコンピュータにより読み取り可能なプログラムであって、前記コンピュータを、少なくとも１か国の言語ごとの圧縮ＯＳＤデータを含む圧縮ＯＳＤデータ群と、少なくとも１か国の言語ごとの展開ＯＳＤデータを含む展開ＯＳＤデータ群とを前記不揮発性メモリに記憶させる記憶制御部と、前記展開ＯＳＤデータに基づき、ＯＳＤ画像を生成する画像生成部として機能させることを特徴とする。
【０００９】
また、本発明に係る情報記憶媒体は、不揮発性メモリを含むコンピュータにより読み取り可能なプログラムを記憶した情報記憶媒体であって、上記プログラムを記憶したことを特徴とする。
【００１０】
本発明によれば、画像生成システム等は、ＯＳＤデータを圧縮した状態で不揮発性メモリに記憶しておくことにより、小さい記憶容量であっても、多数の言語のＯＳＤデータを記憶することができる。また、本発明によれば、画像生成システム等は、展開した状態のＯＳＤデータを不揮発性メモリに記憶しておくことにより、起動と起動の終了を繰り返す場合であっても、起動する度にＯＳＤデータを展開する必要がないため、効率的にＯＳＤ画像を生成することができる。
【００１１】
また、前記画像生成システムは、前記言語の選択を示す選択情報を入力する入力部を含み、前記画像生成部は、当該選択に応じた言語の前記展開ＯＳＤデータに基づき、当該言語で表示される前記ＯＳＤ画像を生成してもよい。
【００１２】
これによれば、画像生成システム等は、選択に応じた言語の展開ＯＳＤデータに基づき、当該言語で表示されるＯＳＤ画像を生成することにより、複数の国の言語を同時または個別に使用してＯＳＤ画像を生成する場合であっても効率的に画像を生成することができる。
【００１３】
また、前記画像生成システムは、前記選択に応じた前記圧縮ＯＳＤデータを展開して前記展開ＯＳＤデータ群の少なくとも一部として前記不揮発性メモリに記憶する展開部を含んでもよい。
【００１４】
これによれば、画像生成システム等は、例えば、デフォルト言語（デフォルトの言語）を変更する場合であっても、新たなデフォルト言語用のＯＳＤデータを展開した状態で保持することができるため、効率的にＯＳＤ画像を生成することができる。
【００１５】
また、前記画像生成システムは、前記圧縮ＯＳＤデータ群を更新することにより、少なくとも１か国の言語の前記圧縮ＯＳＤデータの追加、削除または更新を行う更新部を含んでもよい。
【００１６】
これによれば、画像生成システム等は、新たな言語に対応したＯＳＤデータの追加等を行うことができるため、より汎用的にＯＳＤ画像を生成することができる。
【発明を実施するための最良の形態】
【００１７】
以下、本発明をプロジェクタに適用した場合を例に採り、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１８】
（第１の実施例）
図１は、第１の実施例におけるプロジェクタ１００の機能ブロック図である。プロジェクタ１００は、画像生成システムを含んで構成されている。この画像生成システムは、少なくとも１か国の言語ごとの圧縮ＯＳＤデータを含む圧縮ＯＳＤデータ群１２２、少なくとも１か国の言語ごとの展開ＯＳＤデータを含む展開ＯＳＤデータ群１２４等を記憶する不揮発性メモリの一種であるフラッシュメモリ１２０と、展開ＯＳＤデータに基づき、ＯＳＤ画像を生成する画像生成部１３０とを含んで構成されている。また、プロジェクタ１００は、画像生成部１３０によって生成される画像を投写する投写部１９０を含んで構成されている。
【００１９】
なお、画像生成部１３０としては、例えば、画像処理回路等を用いてもよく、投写部１９０としては、例えば、ランプ、液晶パネル、レンズ等を用いてもよい。
【００２０】
また、プロジェクタ１００は、画像生成部１３０等の機能をプロジェクタ１００に実装するためのプログラムを情報記憶媒体２００から読み取ることにより、当該機能を実装してもよい。このような情報記憶媒体２００としては、例えば、ＣＤ−ＲＯＭ、ＤＶＤ−ＲＯＭ、ＲＯＭ、ＲＡＭ、ＨＤＤ等を適用でき、そのプログラムの読み取り方式は接触方式であっても、非接触方式であってもよい。
【００２１】
ここで、圧縮ＯＳＤデータ群１２２および展開ＯＳＤデータ群１２４についてより詳細に説明する。図２は、第１の実施例における圧縮ＯＳＤデータ群１２２および展開ＯＳＤデータ群１２４を示す図である。
【００２２】
フラッシュメモリ１２０には、圧縮ＯＳＤデータ群１２２として、圧縮されたＯＳＤデータ（例えば、ＯＳＤ画像を日本語で表示するための日本語圧縮ＯＳＤデータ、ＯＳＤ画像を英語で表示するための英語圧縮ＯＳＤデータ、ＯＳＤ画像をアラビア語で表示するためのアラビア語圧縮ＯＳＤデータ等）が記憶されている。
【００２３】
また、フラッシュメモリ１２０には、展開ＯＳＤデータ群１２４として、圧縮されたＯＳＤデータが展開（伸張ともいう。）されたＯＳＤデータが記憶されている。なお、本実施例では、デフォルトの言語の展開ＯＳＤデータ（本実施例では、日本語展開ＯＳＤデータ）のみが展開ＯＳＤデータ群１２４として記憶されるものとする。
【００２４】
画像生成部１３０は、展開ＯＳＤデータ群１２４にある日本語展開ＯＳＤデータに基づき、日本語で環境設定等を行うためのＯＳＤ画像を生成し、投写部１９０は、当該ＯＳＤ画像を投写する。
【００２５】
以上のように、本実施例によれば、プロジェクタ１００は、ＯＳＤデータを圧縮した状態でフラッシュメモリ１２０に記憶しておくことにより、フラッシュメモリ１２０の容量が少ない場合であっても、多数の言語のＯＳＤデータを記憶することができる。また、本実施例によれば、プロジェクタ１００は、展開した状態のＯＳＤデータをフラッシュメモリ１２０に記憶しておくことにより、起動と起動の終了を繰り返す場合であっても、起動する度にＯＳＤデータを展開する必要がないため、効率的にＯＳＤ画像を生成することができる。
【００２６】
（第２の実施例）
次に、展開ＯＳＤデータ群１２４に複数の国の言語の展開ＯＳＤデータを記憶し、選択に応じた国の言語のＯＳＤ画像を生成する実施例について説明する。
【００２７】
図３は、第２の実施例におけるプロジェクタ１０１の機能ブロック図である。プロジェクタ１０１は、上述した構成に加え、ユーザーやシステム設定等による言語の選択を示す選択情報を入力する入力部１１０を含んで構成されている。また、画像生成部１３１は、当該選択に応じた言語の展開ＯＳＤデータに基づき、当該言語で表示されるＯＳＤ画像を生成するように構成されている。なお、入力部１１０としては、例えば、ボタン、リモートコントローラ等が採用されてもよい。
【００２８】
また、プロジェクタ１０１は、このような画像生成部１３１等の機能を情報記憶媒体２０１に記憶されたプログラムを読み取ることによって実装してもよい。
【００２９】
図４は、第２の実施例における圧縮ＯＳＤデータ群１２２および展開ＯＳＤデータ群１２４を示す図である。例えば、本実施例の展開ＯＳＤデータ群１２４には、日本語展開ＯＳＤデータと、英語展開ＯＳＤデータが記憶されている。
【００３０】
画像生成部１３１は、入力部１１０からの選択情報に基づき、日本語が選択された場合は日本語展開ＯＳＤデータを用い、英語が選択された場合は英語展開ＯＳＤデータを用いることにより、選択に応じた言語のＯＳＤ画像を生成する。さらに、画像生成部１３１は、英語と日本語の両方が選択された場合（例えば、日本語と英語の混在するメニュー画像が投写される場合等）、日本語展開ＯＳＤデータおよび英語展開ＯＳＤデータを用いてＯＳＤ画像を生成する。
【００３１】
以上のように、本実施例によれば、プロジェクタ１０１は、選択に応じた言語の展開ＯＳＤデータに基づき、当該言語で表示されるＯＳＤ画像を生成することにより、複数の国の言語を同時または個別に使用してＯＳＤ画像を生成する場合であっても効率的に画像を生成することができる。また、本実施例によれば、プロジェクタ１０１は、使用される可能性の高い言語のＯＳＤデータをあらかじめ展開ＯＳＤデータ群１２４として展開しておくことにより、デフォルトの言語が変更された場合に即座に言語を変更してＯＳＤ画像を生成することができ、効率的に画像を生成することができる。
【００３２】
（第３の実施例）
次に、展開ＯＳＤデータ群１２４に複数の国の言語の展開ＯＳＤデータを記憶し、選択に応じた言語のＯＳＤ画像を生成する実施例について説明する。
【００３３】
図５は、第３の実施例におけるプロジェクタ１０２の機能ブロック図である。プロジェクタ１０２は、上述した構成に加え、圧縮ＯＳＤ情報等をサーバー等から受信する通信部１４０と、圧縮ＯＳＤ情報等に基づき、圧縮ＯＳＤデータ群１２２等を更新する更新部１５０と、圧縮ＯＳＤデータを展開して展開ＯＳＤデータを生成する展開部１６０とを含んで構成されている。
【００３４】
また、フラッシュメモリ１２１は、状態データ１２６を記憶している。図６は、第３の実施例における状態データ１２６を示す図である。状態データ１２６は、「圧縮状態」、各言語を識別するための「種別」、当該言語の圧縮ＯＳＤデータの占有量を示す「圧縮時データサイズ」、当該言語の展開ＯＳＤデータの占有量を示す「展開時データサイズ」、圧縮ＯＳＤデータまたは展開ＯＳＤデータの最新の更新日時を示す「更新日時」等を含む。また、これらのデータは言語ごとに管理される。
【００３５】
なお、「圧縮状態」としては、例えば、圧縮ＯＳＤデータのみが存在する圧縮状態、展開ＯＳＤデータのみが存在する展開状態、圧縮ＯＳＤデータと展開ＯＳＤデータの両方が存在する圧縮展開状態等が該当する。また、状態データ１２６には、フラッシュメモリ１２１におけるＯＳＤデータの記憶可能容量（空き容量）を示す「記憶可能容量」、デフォルトで使用される言語を示す「デフォルト言語」等も含まれる。
【００３６】
また、ユーザーやシステム設定等による言語の選択を示す選択情報を入力する入力部１１１は、選択情報を更新部１５０に出力するように構成されている。また、画像生成部１３２は、状態データ１２６に基づき、選択された言語等を判別するように構成されている。
【００３７】
なお、通信部１４０としてはＬＡＮカード等、更新部１５０としてはＣＰＵ等、展開部１６０としては画像処理回路、ＲＡＭ等が採用されてもよい。また、プロジェクタ１０２は、このような更新部１５０等の機能を情報記憶媒体２０２に記憶されたプログラムを読み取ることによって実装してもよい。
【００３８】
次に、第３の実施例における圧縮ＯＳＤデータを追加する処理手順について説明する。図７は、第３の実施例における圧縮ＯＳＤデータを追加する処理手順を示すフローチャートである。
【００３９】
通信部１４０は、サーバー等から圧縮ＯＳＤ情報を受信する（ステップＳ１）。なお、ここで、圧縮ＯＳＤ情報は、例えば、言語の種別、圧縮ＯＳＤデータの内容、圧縮時データサイズ、展開時データサイズ等を示す情報である。すなわち、圧縮ＯＳＤ情報には、追加または更新のための圧縮された状態のＯＳＤデータが含まれる。
【００４０】
更新部１５０は、状態データ１２６の「記憶可能容量」と、圧縮ＯＳＤ情報に含まれる圧縮時データサイズを比較する（ステップＳ２）。そして、更新部１５０は、圧縮ＯＳＤデータ群１２２に新たな圧縮ＯＳＤデータが入るかどうかを判定する（ステップＳ３）。
【００４１】
入らない場合、更新部１５０は、状態データ１２６の「デフォルト言語」、「圧縮状態」、「展開時データサイズ」および「更新日時」に基づき、デフォルト言語ではなく、圧縮展開状態にある展開ＯＳＤデータのうち、最も前に更新された展開ＯＳＤデータを削除する（ステップＳ４）。なお、更新部１５０は、「展開時データサイズ」に基づき、１種類の展開ＯＳＤデータでは十分ではないと判定した場合、複数種類の展開ＯＳＤデータを削除してもよい。
【００４２】
更新部１５０は、フラッシュメモリ１２１に空きのある状態で、圧縮時情報に含まれる圧縮ＯＳＤデータを圧縮ＯＳＤデータ群１２２の一部としてフラッシュメモリ１２１に記憶する（ステップＳ５）。
【００４３】
そして、更新部１５０は、状態データ１２６を更新する（ステップＳ６）。図８（Ａ）は、第３の実施例における更新前の状態データ１２６を示す図であり、図８（Ｂ）は、第３の実施例における更新後の状態データ１２６を示す図である。
【００４４】
例えば、２００７年３月１５日に圧縮時データサイズが３０のスペイン語の圧縮ＯＳＤデータが追加される場合、状態データ１２６が図８（Ａ）に示す状態では、「記憶可能容量」が「１０」であるため、ステップＳ３の判定において入らないと判定される。状態データ１２６では「デフォルト言語」が日本語になっているため、ステップＳ４の処理により、「圧縮状態」が「圧縮展開」になっており、デフォルト言語ではない英語の展開ＯＳＤデータが削除される。これにより、元の空き容量の「１０」に英語の展開ＯＳＤデータ分の占有量「５０」を加えた「６０」が新たな空き容量になる。
【００４５】
更新部１５０は、ステップＳ５の処理によって圧縮時データサイズが「３０」のスペイン語圧縮ＯＳＤデータを追加したため、「６０」から「３０」を引いた値である「３０」を「記憶可能容量」として状態データ１２６に書き込み、英語ＯＳＤデータのレコードを対象として、「圧縮状態」を「圧縮」に更新し、「更新日時」を「２００７年３月１５日」に更新する。
【００４６】
また、更新部１５０は、「圧縮状態」が「圧縮」、「種別」が「スペイン語」、「圧縮時データサイズ」が「３０」、「展開時データサイズ」が「６０」、「更新日時」が「２００７年３月１５日」のスペイン語ＯＳＤデータのレコードを状態データ１２６に追加する。
【００４７】
以上の手順により、状態データ１２６は、図８（Ａ）に示す状態から図８（Ｂ）に示す状態に更新される。
【００４８】
以上のように、本実施例によれば、プロジェクタ１０２は、新たな言語に対応したＯＳＤデータの追加等を行うことができるため、より汎用的にＯＳＤ画像を生成することができる。
【００４９】
（第４の実施例）
次に、第３の実施例で説明したプロジェクタ１０２が、デフォルト言語を変更する実施例について説明する。図９は、第４の実施例におけるデフォルト言語を変更する処理手順を示すフローチャートである。
【００５０】
入力部１１１は、デフォルト言語の選択を示す選択情報を入力し、更新部１５０は、当該デフォルト言語が、状態データ１２６の「デフォルト言語」と一致するかどうかを判定し、プロジェクタ１０２は、一致しない場合に以下の処理を実行する。
【００５１】
一致しない場合、更新部１５０は、状態データ１２６における選択されたデフォルト言語の「圧縮状態」が展開状態（展開状態または圧縮展開状態）を示すものであるかどうかを判定する（ステップＳ１１）。これにより、更新部１５０は、当該デフォルト言語が展開ＯＳＤデータ群１２４に含まれるかどうかを判定することができる。
【００５２】
展開状態である場合、更新部１５０は、状態データ１２６の「デフォルト言語」を選択されたデフォルト言語に更新する（ステップＳ１６）。
【００５３】
一方、展開状態ではない場合、更新部１５０は、状態データ１２６における選択されたデフォルト言語の「展開時データサイズ」が「記憶可能容量」以下かどうかを判定することにより、展開可能かどうかを判定する（ステップＳ１２）。
【００５４】
展開可能な場合、展開部１６０は、圧縮ＯＳＤデータ群１２２に含まれる当該デフォルト言語の圧縮時ＯＳＤデータを、フラッシュメモリ１２１内の展開ＯＳＤデータ群１２４に展開時ＯＳＤデータとして展開する（ステップＳ１４）。
【００５５】
一方、展開可能ではない場合、更新部１５０は、状態データ１２６の「圧縮状態」、「展開時データサイズ」および「更新日時」に基づき、圧縮展開状態にある展開ＯＳＤデータのうち、最も前に更新された展開ＯＳＤデータを削除する（ステップＳ１３）。更新部１５０は、ステップＳ１３の処理によってフラッシュメモリ１２１に空きができた状態で展開（ステップＳ１４）を行う。
【００５６】
そして、展開（ステップＳ１４）が行われた後、更新部１５０は、状態データ１２６における更新されたデフォルト言語の「圧縮状態」を展開状態に更新し、「更新日時」も更新する（ステップＳ１５）。
【００５７】
さらに、更新部１５０は、この更新（ステップＳ１５）後、状態データ１２６の「デフォルト言語」を選択されたデフォルト言語に更新する（ステップＳ１６）。
【００５８】
以上のように、本実施例によれば、プロジェクタ１０２は、デフォルト言語を変更する場合であっても、新たなデフォルト言語用のＯＳＤデータを展開した状態で保持することができるため、効率的にＯＳＤ画像を生成することができる。
【００５９】
（その他の実施例）
なお、本発明の適用は上述した実施例に限定されず、種々の変形が可能である。例えば、不揮発性メモリは、フラッシュメモリ１２０、１２１には限定されず、電源がオフになっても記憶内容を保持できる種々のメモリを採用可能である。
【００６０】
また、圧縮ＯＳＤデータ群１２２および展開ＯＳＤデータ群１２４が更新される単位は、言語単位には限定されず、例えば、ライブラリ単位、モジュール単位、テーブル単位等であってもよい。また、展開ＯＳＤデータ群１２４だけでなく、圧縮ＯＳＤデータ群１２２に含まれる言語も１か国の言語であってもよい。
【００６１】
また、更新部１５０は、フラッシュメモリ１２０の空き容量が足りない場合に、圧縮ＯＳＤデータを削除してもよい。また、圧縮ＯＳＤデータ、展開ＯＳＤデータ等の削除に代え、画像生成部１３０が、フラッシュメモリ１２０の空き容量が足りない場合にＯＳＤデータの追加等を行えないことを示すメッセージ画像を生成し、投写部１９０が当該メッセージ画像を投写してもよい。
【００６２】
また、画像生成システムは、画像生成回路として形成されてもよい。また、画像生成システムを含む装置は、プロジェクタ１００〜１０２には限定されず、例えば、ＰＣ(Personal Computer)、プリンタ、テレビ、携帯電話等のＯＳＤ画像を生成する種々の装置を採用可能である。
【００６３】
また、プロジェクタ１００〜１０２は、液晶プロジェクタには限定されず、例えば、ＤＭＤ(Digital Micromirror Device)を用いたプロジェクタ等であってもよい。また、プロジェクタ１００〜１０２の機能を複数の装置（例えば、ＰＣとプロジェクタ等）に分散して実装してもよい。なお、ＤＭＤは米国テキサス・インスツルメンツ社の商標である。
【図面の簡単な説明】
【００６４】
【図１】第１の実施例におけるプロジェクタの機能ブロック図である。
【図２】第１の実施例における圧縮ＯＳＤデータ群および展開ＯＳＤデータ群を示す図である。
【図３】第２の実施例におけるプロジェクタの機能ブロック図である。
【図４】第２の実施例における圧縮ＯＳＤデータ群および展開ＯＳＤデータ群を示す図である。
【図５】第３の実施例におけるプロジェクタの機能ブロック図である。
【図６】第３の実施例における状態データを示す図である。
【図７】第３の実施例における圧縮ＯＳＤデータを追加する処理手順を示すフローチャートである。
【図８】図８（Ａ）は、第３の実施例における更新前の状態データを示す図であり、図８（Ｂ）は、第３の実施例における更新後の状態データを示す図である。
【図９】第４の実施例におけるデフォルト言語を変更する処理手順を示すフローチャートである。
【符号の説明】
【００６５】
１００〜１０２  プロジェクタ（画像生成システム）、１１０、１１１  入力部、１２０、１２１  フラッシュメモリ（不揮発性メモリ）、１２２  圧縮ＯＳＤデータ群、１２４  展開ＯＳＤデータ群、１２６  状態データ、１３０〜１３２  画像生成部、１４０  通信部、１５０  更新部、１６０  展開部、１９０  投写部、２００〜２０２  情報記憶媒体
【図１】
2008256965.tif 000003
【図２】
2008256965.tif 000004
【図３】
2008256965.tif 000005
【図４】
2008256965.tif 000006
【図５】
2008256965.tif 000007
【図６】
2008256965.tif 000008
【図７】
2008256965.tif 000009
【図８】
2008256965.tif 000010
【図９】
2008256965.tif 000011